(57)【要約】【課題】デジタルカメラ等の撮影装置の操作系における操作の煩雑さを解消する。【解決手段】デジタルカメラのモニタに、所定数のコマからなり、各コマが撮影済みであることおよび未撮影であることを視認可能に表す複数の仮想フイルムを表示する。この際、使用中の仮想フイルムはフイルムの状態で、使用中でない他の仮想フイルムはパトローネ画像にて表示する。仮想フイルムに対応して画像を記録する記録領域を作成し、撮影により画像を取得すると、使用中の仮想フイルムに対応する記録領域に画像を記録する。【選択図】図４
2007228146.tif 000002
【特許請求の範囲】
【請求項１】
撮影により画像を取得する撮影手段と、該撮影により取得された画像を記録する記録手段とを備えた撮影装置において、
各種表示を行う表示手段と、
回転式のダイアル操作手段と、
所定数のコマからなり、各コマが撮影済みであることおよび未撮影であることを視認可能に表す複数の仮想フイルムであって、使用中の１の仮想フイルム以外の他の仮想フイルムはパトローネ画像にて前記表示手段に表示し、前記ダイアル操作手段の回転により前記パトローネ画像上においてカーソルを移動させることにより、所望とする仮想フイルムの選択を受け付け、該選択された仮想フイルムのみを前記表示手段に表示する表示制御手段と、
前記撮影により取得した画像を前記使用中の仮想フイルムとの対応関係とともに記録し、前記仮想フイルムに含まれる未撮影であることを表すコマを撮影済みであることを表すコマに変更する記録制御手段とを備えたことを特徴とする撮影装置。
【請求項２】
前記表示制御手段は、前記使用中の仮想フイルムのすべてのコマが撮影済みであることを表すものとなると、未撮影のコマを含む仮想フイルムをすべてのコマが撮影済みとなった仮想フイルムに代えて表示する手段であることを特徴とする請求項１記載の撮影装置。
【請求項３】
前記ダイアル操作手段の回転によって前記使用中の仮想フイルム上においてカーソルを移動させることにより所望とされるコマの選択を受け付け、該選択されたコマが撮影済みであることを表す場合、カメラモードを再生モードに切り替えるとともに、該選択されたコマに対応する画像を拡大して前記表示手段に表示し、前記選択されたコマが未撮影であることを表す場合、前記カメラモードを撮影モードに切り替え、撮影後に前記選択されたコマを撮影済みであることを表すコマに変更するモード切替制御手段をさらに備えたことを特徴とする請求項１または２記載の撮影装置。
【請求項４】
前記撮影済みであることを表すコマは、前記撮影により取得された画像の縮小画像であることを特徴とする請求項３記載の撮影装置。
【請求項５】
撮影により画像を取得する撮影手段と、該撮影により取得された画像を記録する記録手段とを備えた撮影装置において、
各種表示を行う表示手段と、
回転式のダイアル操作手段とを備えた撮影装置における撮影方法であって、
所定数のコマからなり、各コマが撮影済みであることおよび未撮影であることを視認可能に表す複数の仮想フイルムであって、使用中の１の仮想フイルム以外の他の仮想フイルムはパトローネ画像にて前記表示手段に表示し、
前記ダイアル操作手段の回転により前記パトローネ画像上においてカーソルを移動させることにより、所望とする仮想フイルムの選択を受け付け、
該選択された仮想フイルムのみを前記表示手段に表示し、
前記撮影により取得した画像を、前記記録手段に前記複数の仮想フイルムに対応して作成された記録領域のうち、前記使用中の仮想フイルムに対応した記録領域に記録するとともに、前記仮想フイルムに含まれる未撮影であることを表すコマを撮影済みであることを表すコマに変更することを特徴とする撮影方法。
【請求項６】
撮影により画像を取得する撮影手段と、該撮影により取得された画像を記録する記録手段とを備えた撮影装置において、
各種表示を行う表示手段と、
回転式のダイアル操作手段とを備えた撮影装置における撮影方法をコンピュータに実行させるためのプログラムであって、
所定数のコマからなり、各コマが撮影済みであることおよび未撮影であることを視認可能に表す複数の仮想フイルムであって、使用中の１の仮想フイルム以外の他の仮想フイルムはパトローネ画像にて前記表示手段に表示する手順と、
前記ダイアル操作手段の回転により前記パトローネ画像上においてカーソルを移動させることにより、所望とする仮想フイルムの選択を受け付ける手順と、
該選択された仮想フイルムのみを前記表示手段に表示する手順と、
前記撮影により取得した画像を、前記記録手段に前記複数の仮想フイルムに対応して作成された記録領域のうち、前記使用中の仮想フイルムに対応した記録領域に記録するとともに、前記仮想フイルムに含まれる未撮影であることを表すコマを撮影済みであることを表すコマに変更する手順とを有することを特徴とするプログラム。
【発明の詳細な説明】
【技術分野】
【０００１】
本発明は、撮影により画像を取得するデジタルカメラ等の撮影装置および撮影装置における撮影方法、並びに撮影方法をコンピュータに実行させるためのプログラムに関するものである。
【背景技術】
【０００２】
近年、デジタルカメラの多機能化に伴い、その操作方法が複雑化している。また、多機能化に応じて、カメラモードを撮影モードや再生モードに切り替えたり、撮影済みの画像のコマ送りを行うための各種操作ボタンの数を多くする必要があるため、デジタルカメラの背面等に操作ボタンを配置するための広いスペースが必要となってくる。
【０００３】
このため、ボタン操作の組み合わせに複数の機能を割り当てることにより、操作ボタンの数の増大を防止するようにしたデジタルカメラが提案されている（特許文献１参照）。具体的には、特許文献１に記載のデジタルカメラにおいては、レリーズボタンと他のボタンとの組み合わせにより、プリント枚数の指定等の操作を行うようにしている。また、カメラモードを設定するダイアルと、そのダイアルに設けられたジョイスティックとを組み合わせることにより、操作ボタン等の操作系をコンパクトにまとめるようにしたデジタルカメラも提案されている（特許文献２参照）。
【特許文献１】特開平１１−１５０６７３号公報
【特許文献２】特開２００１−２４５１８９号公報
【発明の開示】
【発明が解決しようとする課題】
【０００４】
ところで、近年のメディアの大容量化に伴い、大量の画像をメディアに記録することができるようになっているが、すべての画像をメディアに作成された１つのフォルダに記録するのでは、画像を閲覧した際に大量の画像から所望とする画像を探し出す必要があるため操作性が悪い。このため、一定枚数まで撮影を行った後は、自動的に別のフォルダを作成して画像を記録することにより、１つのフォルダには一定枚数の画像のみを記録する記録方式が用いられている。
【０００５】
しかしながら、このような記録方式においてはユーザは画像を記録する画像を自由に選択することができないため、例えば子供の運動会や旅行等のイベント毎に画像を分類して記録することができない。
【０００６】
本発明は上記事情に鑑みなされたものであり、ユーザが所望とするように画像を分類して記録できるようにすることを目的とする。
【課題を解決するための手段】
【０００７】
本発明による撮影装置は、撮影により画像を取得する撮影手段と、該撮影により取得された画像を記録する記録手段とを備えた撮影装置において、
各種表示を行う表示手段と、
回転式のダイアル操作手段と、
所定数のコマからなり、各コマが撮影済みであることおよび未撮影であることを視認可能に表す複数の仮想フイルムであって、使用中の１の仮想フイルム以外の他の仮想フイルムはパトローネ画像にて前記表示手段に表示し、前記ダイアル操作手段の回転により前記パトローネ画像上においてカーソルを移動させることにより、所望とする仮想フイルムの選択を受け付け、該選択された仮想フイルムのみを前記表示手段に表示する表示制御手段と、
前記撮影により取得した画像を前記使用中の仮想フイルムとの対応関係とともに記録し、前記仮想フイルムに含まれる未撮影であることを表すコマを撮影済みであることを表すコマに変更する記録制御手段とを備えたことを特徴とするものである。
【０００８】
ここで、「画像を使用中の仮想フイルムに含まれるコマとの対応関係とともに記録する」とは、画像と仮想フイルムとの関係が規定できれば対応関係をどのような態様にて画像を記録手段に記録してもよいことを意味する。例えば、記録手段に複数の仮想フイルムに対応した記録領域を作成し、撮影により取得した画像を使用中の仮想フイルムに対応した記録領域に記録してもよく、画像のタグに使用中の仮想フイルムを特定する情報を記録するようにしてもよい。
【０００９】
なお、本発明による撮影装置においては、前記表示制御手段を、前記使用中の仮想フイルムのすべてのコマが撮影済みであることを表すものとなると、未撮影のコマを含む仮想フイルムをすべてのコマが撮影済みとなった仮想フイルムに代えて表示する手段としてもよい。
【００１０】
また、前記ダイアル操作手段の回転によって前記使用中の仮想フイルム上においてカーソルを移動させることにより所望とされるコマの選択を受け付け、該選択されたコマが撮影済みであることを表す場合、カメラモードを再生モードに切り替えるとともに、該選択されたコマに対応する画像を拡大して前記表示手段に表示し、前記選択されたコマが未撮影であることを表す場合、前記カメラモードを撮影モードに切り替え、撮影後に前記選択されたコマを撮影済みであることを表すコマに変更するモード切替制御手段をさらに備えるものとしてもよい。
【００１１】
この場合、前記撮影済みであることを表すコマを、前記撮影により取得された画像の縮小画像としてもよい。
【００１２】
本発明による撮影方法は、撮影により画像を取得する撮影手段と、該撮影により取得された画像を記録する記録手段とを備えた撮影装置において、
各種表示を行う表示手段と、
回転式のダイアル操作手段とを備えた撮影装置における撮影方法であって、
所定数のコマからなり、各コマが撮影済みであることおよび未撮影であることを視認可能に表す複数の仮想フイルムであって、使用中の１の仮想フイルム以外の他の仮想フイルムはパトローネ画像にて前記表示手段に表示し、
前記ダイアル操作手段の回転により前記パトローネ画像上においてカーソルを移動させることにより、所望とする仮想フイルムの選択を受け付け、
該選択された仮想フイルムのみを前記表示手段に表示し、
前記撮影により取得した画像を、前記記録手段に前記複数の仮想フイルムに対応して作成された記録領域のうち、前記使用中の仮想フイルムに対応した記録領域に記録するとともに、前記仮想フイルムに含まれる未撮影であることを表すコマを撮影済みであることを表すコマに変更することを特徴とするものである。
【００１３】
なお、本発明による撮影方法をコンピュータに実行させるためのプログラムとして提供してもよい。
【発明の効果】
【００１４】
本発明によれば、所定数のコマからなる複数の仮想フイルムであって、使用中の１の仮想フイルム以外の他の仮想フイルムがパトローネ画像にて表示手段に表示される。そして、ダイアル操作手段の回転によりパトローネ画像上においてカーソルを移動させることにより所望とする仮想フイルムが選択されると、選択された仮想フイルムのみが表示手段に表示される。一方、記録手段には、撮影により取得された画像が、使用中の仮想フイルムとの対応関係とともに記録され、この仮想フイルムに含まれる未撮影であることを表すコマが撮影済みであることを表すコマに変更される。
【００１５】
このため、ユーザは仮想フイルムを選択して撮影を行うことにより、選択した仮想フイルムに対応づけて画像を分類して記録することができる。また、使用する仮想フイルムはパトローネ画像を選択すればよいため、使用する仮想フイルムを視覚的に容易に選択することができる。
【００１６】
また、使用中の仮想フイルムのすべてのコマが撮影済みであることを表すものとなると、未撮影のコマを含む仮想フイルムをすべてのコマが撮影済みであることを表すものとなった仮想フイルムに代えて表示することにより、ユーザは次の仮想フイルムに対応する記録領域に、撮影により取得した画像を続けて記録することができる。
【００１７】
また、ダイアル操作手段の回転によって仮想フイルムにおける所望とされるコマの選択が受け付けられた場合において、選択されたコマが撮影済みであることを表すものである場合、カメラモードを再生モードに切り替え、さらに選択されたコマに対応する画像を拡大して表示する一方で、選択されたコマが未撮影であることを表す場合、カメラモードを撮影モードに切り替え、撮影後に選択されたコマを撮影済みであることを表すコマに変更することにより、ユーザは表示された仮想フイルムにおいて撮影済みのコマを選択すれば、カメラモードを再生モードに切り替えることができ、未撮影のコマを選択すればカメラモードを撮影モードに切り替えることができる。また、再生モードに切り替えられた場合には、選択された画像が拡大表示される。したがって、ダイアル操作手段を操作するという簡易な操作を行うのみで、再生モードおよび撮影モードの切り替え、さらには再生モードの場合には画像の表示を行うことができる。
【００１８】
また、撮影済みであることを表すコマを撮影により取得された画像の縮小画像とすることにより、仮想フイルム上においてカーソルを移動させることにより撮影済みの画像のコマ送り動作を行うことができる。
【発明を実施するための最良の形態】
【００１９】
以下、図面を参照して本発明の実施形態について説明する。図１は本発明の撮影装置の実施形態であるデジタルカメラの構成を示す図である。図１に示すように本実施形態によるデジタルカメラ１は、撮影された画像等の各種表示を行うモニタ１１と、電源のオン・オフを行う電源スイッチ１２と、レリーズボタン１３と、ズームを行うズームレバー１４とを備える。また、デジタルカメラ１は、後述するようにカメラモードを撮影モードおよび再生モードに切り替える回転ダイアル１５と、撮影モード時においてはマクロ撮影を行い、再生モード時においてはモニタ１１に再生されている画像を削除するための第１の操作ボタン１６と、撮影モード時においてはストロボをオン・オフし、再生モード時においてはモニタ１１に再生されている画像のプリント予約を行うための第２の操作ボタン１７とを有する。
【００２０】
ユーザはこれらのボタンを適宜操作して撮影を行い、撮影により取得した画像をデジタルカメラ１に内包されたメディアに記録することができる。また、ユーザはこれらのボタンを適宜操作してメディアに記録された画像を再生することができる。操作については後述する。
【００２１】
図２は本実施形態によるデジタルカメラの信号処理系を示す概略ブロック図である。デジタルカメラ１は、撮影レンズおよびＣＣＤ等からなり、被写体像をＣＣＤの受光面に結像させて光電変換してアナログの画像データとして出力する撮像部４０と、デジタルカメラ１全体の制御を行うとともに画像データのサンプリングタイミング制御、画像データの保存制御、通信制御および表示制御等の制御を行うＣＰＵ４２と、アナログ情報の画像データをデジタルの画像データに変換するＡ／Ｄ変換器４４と、画像サイズの変更、階調処理、色変換処理、濃度変換処理、シャープネス処理およびホワイトバランス調整処理等の画像処理を行う信号処理部４６と、ストロボ４８と、ストロボ４８の操作を制御するストロボ制御部５０と、図１に示すレリーズボタン１３、ズームレバー１４、回転ダイアル１５、第１および第２の操作ボタン１６等のユーザが情報を入力する際に用いる入力部５２と、入力部５２の設定情報を入力するインターフェースであるＩ／Ｏ５４とを備える。
【００２２】
また、デジタルカメラ１は、画像データをＪＰＥＧに代表される手法で圧縮したり、圧縮した画像データを解凍する圧縮解凍部５６と、デジタルカメラ１の本体内に内蔵されているメディア６０に画像データを保存したり読み出したりするために画像データを変換するメディアインターフェース６２とを備える。メディア６０は、半導体、磁気記録および光記録に代表される記録媒体である。
【００２３】
また、デジタルカメラ１は、画像データの転送を行うプログラムを含むＣＰＵ４２の動作プログラムや各定数が記憶されているＲＯＭおよびプログラム実行時の作業領域となる記憶手段であるＲＡＭにより構成されているシステムメモリ６４と、デジタルカメラ１の各種設定定数を電源遮断後も記憶し続けることが可能な書き替え可能な不揮発性メモリ６６と、タイマ撮影時に駆動されるタイマ６８と、現在の時刻を刻むカレンダ時計７０と、画像データや各種情報を通信によって送受信する場合に用いるＵＳＢ、ＩＥＥＥ１３９４、Ｅｔｈｅｒｎｅｔ（登録商標）等の規格の有線インターフェース７３と、画像データをモニタ１１に表示するためのＤ／Ａ変換等を行うモニタ制御部７４と、ＣＰＵ４２から指令される表示用の画像データを一時的に記憶しておくＶＲＡＭ等で構成されているフレームメモリ７６と、ＣＰＵ４２から指令されるコード情報を表示する文字やメッセージデータに変換して画像とともにオンスクリーンディスプレイするＯＳＤ７８とを備える。なお、電力を各部へ供給するバッテリ８０も備える。
【００２４】
有線インターフェース７３には通信コネクタ３２が接続されており、パソコン、プリンタ、写真店の店頭に設置されたプリント受付装置等の外部装置と画像データを含む各種情報の送受信を実施することが可能となっている。
【００２５】
そしてＣＰＵ４２がシステムメモリ６４に記録されているプログラムを実行することにより、表示制御手段、記録制御手段およびモード切替制御手段として機能する。
【００２６】
次いで、本実施形態において行われる処理について説明する。図３は本実施形態において行われる処理を示すフローチャートである。ユーザが電源スイッチ１２をオンとしてデジタルカメラ１を起動することによりＣＰＵ４２が処理を開始し、モニタ１１に初期画面を表示する（ステップＳＴ１）。
【００２７】
図４は初期画面を示す図である。図４に示すように初期画面９０の上部には、所定数のコマからなる複数（ここでは３つ）の仮想フイルム９１Ａ〜９１Ｃがパトローネを表すパトローネ画像にて表示されている。また、仮想フイルム９１Ａ〜９１Ｃを選択するためのカーソル９２も表示されている。なお、仮想フイルム９１Ａ〜９１Ｃの画像数としては、銀塩フイルムに対応して２４枚、３６枚等とすることが好ましい。
【００２８】
ここで、パトローネ画像は、一般的な３５ｍｍフイルムのパトローネに外観を似せた画像であることが好ましいが、コマの集合であることを視覚的に表すことが可能であればどのような画像であってもよい。
【００２９】
そして、ユーザが回転ダイアル１５を回転することによりカーソル９２を移動して、所望とする仮想フイルム９１Ａ〜９１Ｃのパトローネ画像を選択したか否かの監視を開始する（ステップＳＴ２）、ステップＳＴ２が肯定されると、ユーザが選択したパトローネ画像の仮想フイルムを、パトローネ画像からフイルムの状態に変更して表示する（ステップＳＴ３）。
【００３０】
図５は仮想フイルムがフイルムの状態にて表示された画面を示す図である。なお、ここでは仮想フイルム９１Ａが選択されたものとして説明する。図５に示すように、この画面には、複数のコマからなるフイルムの状態の仮想フイルム９１Ａおよびパトローネ画像の仮想フイルム９１Ｂ，９１Ｃが表示されている。また、仮想フイルム９１Ａ上の最初のコマにカーソル９２が表示されて最初のコマが選択された状態となっている。なお、フイルムの状態の仮想フイルムの画像は、一般的な３５ｍｍフイルムの形状に外観を似せた画像であることが好ましいが、１次元的にコマを並べた配列の画像に限定されるものではなく、２次元的にコマを並べた配列の画像であっても、任意のテンプレートにコマを配置した画像であってもよい。
【００３１】
ここで、仮想フイルム９１Ａ〜９１Ｃは、所定数のコマからなるものであり、各コマが撮影済みであることおよび未撮影であることを表示するようになっている。具体的には、撮影済みのコマについては、撮影された画像の縮小画像が表示され、未撮影の場合には黒で塗りつぶされた画像が表示される。なお、図５においては、仮想フイルム９１Ａにおける最初の３コマに縮小画像が表示され、４コマ目以降が黒色となっているため、最初の３コマが撮影済みであり、４コマ目以降が未撮影であることが分かる。また、図５においては仮想フイルム９１Ａ上に５個のコマのみが表示されているが、実際にはより多くのコマが仮想フイルム９１Ａに含まれており、回転ダイアル１５を回転することにより、現在表示されていないコマを表示することが可能である。また、仮想フイルム９１Ａのコマを最後まで表示するとカーソル９２は使用中でない仮想フイルム９１Ｂ，９１Ｃのパトローネ画像に移動する。これにより、ユーザは使用中でない仮想フイルム９１Ｂ，９１Ｃを使用中の仮想フイルム９１Ａに代えてフイルムの状態にて表示できる。なお、使用中であった仮想フイルム９１Ａはパトローネ画像にて表示される。
【００３２】
ここで、本実施形態においては、回転ダイアル１５を回転させることにより、仮想フイルム９１Ａ上においてカーソル９２を移動してコマを選択することができる。そして、カーソル９２により選択したコマが撮影済みである場合には、ＣＰＵ４２はカメラモードを再生モードに切り替え、カーソル９２により選択されているコマの拡大画像をモニタ１１に表示する。なお、図５に示す画面においては最初のコマがカーソル９２により選択されているため、最初のコマの拡大画像９３が初期画面９０に表示されている。
【００３３】
一方、図６に示すようにカーソル９２により選択したコマが未撮影である場合には、ＣＰＵ４２はカメラモードを撮影モードに切り替える。これにより、モニタ１１には撮影を行うためのファインダー画像が表示されることとなる。そして、撮影により画像を取得すると選択したコマは、撮影により取得した画像の縮小画像に変更される。なお、未撮影のコマは撮影済みのコマに続いて選択する必要はなく、例えば図７に示すようにユーザが所望とするコマを選択してもよいものである。この場合、撮影後に選択したコマが撮影により取得した画像の縮小画像に変更されることとなる。
【００３４】
また、本実施形態においては、メディア６０に仮想フイルム９１Ａ〜９１Ｃに対応したフォルダが作成されている。図８はメディア６０のフォルダ構造を示す図である。図８に示すようにメディア６０には、ルートディレクトリの下層に、仮想フイルム９１Ａ〜９１Ｃにそれぞれ対応した３つのフォルダ（ＤＣＩＦ１００、ＤＣＩＦ２００、ＤＣＩＦ３００）が作成されている。そして、撮影により取得された画像は、使用中の仮想フイルム９１Ａ〜９１Ｃに対応するフォルダに記録される。例えば仮想フイルム９１Ａが使用中である場合、仮想フイルム９１Ａに対応するＤＣＩＦ１００フォルダに撮影により取得した画像が記録される。
【００３５】
ＣＰＵ４２はユーザにより仮想フイルム９１Ａ上のコマが選択されたか否かの監視を開始し（ステップＳＴ４）、ステップＳＴ４が肯定されると、選択されたコマが撮影済みか未撮影であるか否かを判定する（ステップＳＴ５）。撮影済みである場合には、ＣＰＵ４２はカメラモードを再生モードに切り替え（ステップＳＴ６）、選択されたコマに対応する画像をモニタ１１に表示する（ステップＳＴ７）。
【００３６】
一方、未撮影のコマが選択された場合には、ＣＰＵ４２はカメラモードを撮影モードに切り替え（ステップＳＴ８）、ユーザによる撮影操作を受け付ける（ステップＳＴ９）。
【００３７】
続いて、電源スイッチ１２をオフとすることによる終了の指示がなされたか否かを判定し（ステップＳＴ１０）、ステップＳＴ１０が否定されるとステップＳＴ４に戻り、ステップＳＴ４以降の処理を繰り返す。ステップＳＴ１０が肯定されると、処理を終了する。
【００３８】
このように、本実施形態においては、所定数のコマからなる複数の仮想フイルム９１Ａ〜９１Ｃを用意し、使用中の仮想フイルム９１Ａのみをフイルムの状態で表示し、使用中の仮想フイルム９１Ａ以外の他の仮想フイルム９１Ｂ，９１Ｃをパトローネ画像にて表示するようにし、回転ダイアル１５の回転によりパトローネ画像上においてカーソル９２を移動させることにより所望とする仮想フイルムが選択されると、選択された仮想フイルムをフイルムの状態で表示するようにしたものである。一方、メディア６０には複数の仮想フイルム９１Ａ〜９１Ｃに対応したフォルダを作成し、撮影により取得された画像を、使用中の仮想フイルムに対応したフォルダに記録するとともに、この仮想フイルムに含まれる未撮影であることを表すコマを撮影済みであることを表すコマに変更するようにしたものである。
【００３９】
このため、ユーザは仮想フイルムを選択して撮影を行うことにより、選択した仮想フイルムに対応するフォルダに画像を分類して記録することができる。また、使用する仮想フイルムはパトローネ画像を選択すればよいため、使用する仮想フイルムを視覚的に容易に選択することができる。
【００４０】
また、本実施形態においては、ユーザが回転ダイアル１５を回転することにより、フイルムの状態で表示された仮想フイルム９１Ａ上において選択したコマが撮影済みであることを表すものである場合、カメラモードを再生モードに切り替え、選択されたコマに対応する画像を拡大表示するようにしたものである。一方、ユーザが選択したコマが未撮影であることを表すものである場合、カメラモードを撮影モードに切り替え、撮影後に選択されたコマを撮影済みであることを表すコマに変更するようにしたものである。
【００４１】
このため、ユーザは表示された仮想フイルム９１Ａにおいて撮影済みのコマを選択すれば、カメラモードを再生モードに切り替えることができ、未撮影のコマを選択すればカメラモードを撮影モードに切り替えることができる。また、再生モードに切り替えられた場合には、選択された画像が拡大表示される。したがって、回転ダイアル１５を操作するという簡易な操作を行うのみで、再生モードおよび撮影モードの切り替え、さらには再生モードの場合には画像の表示を行うことができる。
【００４２】
また、撮影済みであることを表すコマを撮影により取得された画像の縮小画像とすることにより、仮想フイルム９１Ａ上においてカーソル９２を移動させることにより撮影済みの画像のコマ送り動作を行うことができる。
【００４３】
なお、上記実施形態においては、初期画面として仮想フイルム９１Ａ〜９１Ｃをすべてパトローネ画像にて表示しているが、初期画面において未撮影のコマを含む一の仮想フイルムをフイルムの状態で表示するようにしてもよい。この場合、図５に示す画面が初期画面となる。
【００４４】
また、上記実施形態においては、メディア６０に仮想フイルム９１Ａ〜９１Ｃに対応するフォルダを作成して、撮影により取得された画像を使用中の仮想フイルムに対応したフォルダに記録しているが、画像と仮想フイルムとが対応づけられていればどのように画像を記録してもよく、画像のタグに使用中の仮想フイルムを特定する情報を記述するようにしてもよい。
【００４５】
また、上記実施形態においては、使用中の仮想フイルムのすべてのコマが撮影済みとなった場合に、図９に示すように仮想フイルム９１Ａの撮影が終了したことが分かるように終端部９４を表示することが好ましい。また、この際、図１０に示すようにすべてのコマについて撮影が終了した仮想フイルム９１Ａに代えて、未撮影のコマを含む他の仮想フイルム（ここでは９１Ｂ）をフイルムの状態で表示することが好ましい。これにより、ユーザは次の仮想フイルムに対応するフォルダに、撮影により取得した画像を続けて記録することができる。
【００４６】
また、上記実施形態においては、フイルムの状態で表示した仮想フイルム９１Ａ上において先頭のコマを初期状態でカーソル９２により選択しているが、仮想フイルム９１Ａ上の未撮影のコマを初期状態で選択するようにしてもよい。これにより、デジタルカメラ１の起動後、直ちに撮影を行うことが可能となる。
【図面の簡単な説明】
【００４７】
【図１】本発明の撮影装置の実施形態であるデジタルカメラの構成を示す図
【図２】本実施形態によるデジタルカメラの信号処理系を示す図
【図３】本実施形態において行われる処理を示すフローチャート
【図４】初期画面を示す図
【図５】仮想フイルムがフイルムの状態にて表示された状態を示す図
【図６】未撮影のコマを選択した状態を示す図（その１）
【図７】未撮影のコマを選択した状態を示す図（その２）
【図８】メディアのフォルダ構造を示す図
【図９】仮想フイルムに終端部を表示した状態を示す図
【図１０】新たな仮想フイルムが表示された状態を示す図
【符号の説明】
【００４８】
１      デジタルカメラ
１１    モニタ
１２    電源スイッチ
１３    レリーズボタン
１４    ズームレバー
１５    回転ダイアル
１６    第１の操作ボタン
１７    第２の操作ボタン
９０    初期画面
９１Ａ〜９１Ｃ    仮想フイルム
９２    カーソル
【図１】
2007228146.tif 000003
【図２】
2007228146.tif 000004
【図３】
2007228146.tif 000005
【図４】
2007228146.tif 000006
【図５】
2007228146.tif 000007
【図６】
2007228146.tif 000008
【図７】
2007228146.tif 000009
【図８】
2007228146.tif 000010
【図９】
2007228146.tif 000011
【図１０】
2007228146.tif 000012